Podtech/llm-jp-corpus-v4-ja_patent huggingface dataset:
(57)【要約】      （修正有）【課題】捨て寸法（爪先から靴の先迄の余裕）が目視で一目瞭然に確認でき、靴と足の適合性を容易に判断出来る幼児用靴を提供する。【解決手段】靴の爪先のアウトソール（本底）２上部のトゥ・キャップ部分３を透明加工し、捨て寸法（爪先から靴の先迄の余裕）が目視で一目瞭然に確認でき、靴と足の適合性を容易に判断出来るようにした。【選択図】図４
0003105392.tif 000002
【実用新案登録請求の範囲】
【請求項１】
靴の爪先のアウトソール（本底）２上部のトゥ・キャップ部分３を透明加工し、捨て寸法（靴内部の足の爪先と靴との空間部分）が目視で一目瞭然に確認でき、正常な足の発育を阻害する要因を防ぐ幼児靴。
【考案の詳細な説明】
【考案の詳細な説明】
【考案が解決しようとする課題】
【０００１】  本考案は、幼児の足の骨組みが未発達な中で、喋れない幼児の靴の選定は、非科学的に大人の感覚で選定している。合わない靴を履くことは正常な発育が阻害され、足の病気や障害を発生させ、多くの問題を残している。
【課題を解決するための手段】
【０００２】  上記目的を達成するために、靴の爪先のアウトソール（本底）２上部のトゥ・キャップ部分３を透明加工し、捨て寸法（爪先から靴の先迄の余裕）が目視で一目瞭然に確認でき、靴と足の適合性を容易に判断出来るようにした。
【考案の効果】
【０００３】  本考案は、靴の爪先のアウトソール（本底）２上部のトゥ・キャップ部分３を透明加工し、捨て寸法（爪先から靴の先迄の余裕）が目視で一目瞭然に確認できることにより、正常な足の発育を阻害することなく幼児の健康を積極的に促進させる効果がある。
【図面の簡単な説明】
【図１】幼児靴（左・右）の正面図である。
【図２】幼児靴（左・右）の平面図である。
【図３】幼児靴（左・右）の側面図である。
【図４】幼児靴（左・右）の斜視図である。
【符号の説明】
１  幼児靴のマジックテープ
２  幼児靴のアウトソール（本底）
３  幼児靴のトウ・キャップ（爪先先端部分）
４  幼児靴のパンプ（爪先上部）
【図１】
0003105392.tif 000003
【図２】
0003105392.tif 000004
【図３】
0003105392.tif 000005
【図４】
0003105392.tif 000006
(57)【要約】【課題】野球用捕球具に関して、捕球した際のショックを和らげるとともに、球のはねっ返り（リバウンド）を抑制して、捕球の確立度を高める用具。【解決手段】野球用グローブの本体（１）の手のひら側（２）を、一枚皮でなくメッシュ細工の皮革を用いることにした。【選択図】図１
0003105394.tif 000002
【実用新案登録請求の範囲】
【請求項１】
野球用捕球具の手のひら側を、一枚皮ではなく、メッシュ細工の皮革を用いる構造。
【考案の詳細な説明】
【技術分野】
【０００１】従来の野球用捕球具は、手のひら側が一枚皮でつくられているが、本考案はこれをメッシュ細工の皮革を用いるものである。
【背景技術】
【０００２】（イ）現在市販の捕球具は、手のひら側が一枚皮でつくられており、捕球は球を掴むというよりも挟み捕るという構造で、手になじむクセをつけるには相当な経験と使いこなす期間が必要である。
（ロ）球をクロッチ（股）部分でなく手のひらで捕球した場合、つかむタイミングによってはリバウンドして球が飛び出すことがままある。これを防ごうと表皮に型押しでディンプル（えくぼ、へこみ）加工を施した製品も見受けられるが、満足する効果は得られていない。
【考案の開示】
【考案が解決しようとする課題】
【０００３】捕球の際のショックとリバウンドの抑制を図ることを課題とする。
【課題を解決するための手段】
【０００４】捕球具の手のひら側を、メッシュ細工の皮革を用いることで解決するものである。
【考案の効果】
【０００５】（イ）メッシュ細工の皮革の特性である伸縮性即ち柔軟性が、捕球の際のショックを和らげ、リバウンドを抑制して、球を掴み捕る働きに改善される。
（ロ）メッシュ細工の皮革は、一枚皮に比して柔軟性に富み、捕球時の摩擦抵抗も増す。すなわち弾性を抑制して、落球を少なくする効果がある。
（ハ）従来の製品に比して、メッシュ細工構造により捕球部の厚みが増し、したがって捕球時の衝撃を緩和するばかりでなく、用具の耐用年数も延長する。
【考案を実施するための最良の形態】
【０００６】（イ）従来の野球用捕球具の手のひら側を、メッシュ細工の皮革を用いる。
（ロ）メッシュ細工の皮革は、メッシュの材料である皮紐の幅と厚さ乃至は皮の硬軟の組み合わせにより、望みの品物をつくることができる。
【図面の簡単な説明】
【０００７】
【図１】グローブの本体（１）の手のひら側をメッシュ細工の皮革（２）で加工したメッシュ捕球構造野球用グローブの写真である。
【符号の説明】
【０００８】１：野球グローブ本体
２：手のひら側のメッシュ細工加工部
【図１】
0003105394.tif 000003
(57)【要約】【課題】  この考案は、中空管の中に乾電池とモーターとスクリューを入れ、モーターの回転でスクリューを回し、浴槽の湯を汲み上げ、中空管の中を通り、肩に湯が掛かる仕組みである。【解決手段】  中空管１の中の上部に乾電池４を入れ、中空管の中の下部に乾電池４で動くモーター５を取り付け、浴槽の湯を汲み上げる為のスクリュー６をモーター５に取り付け回転させ、湯を汲み上げ、中空管１の中を通り、横に張り出した中空管２の中に流れ込み、２箇所に設けられた噴出し口３から、湯が出る仕組みの、ミニ打たせ湯。【選択図】図１
0003105393.tif 000002
【実用新案登録請求の範囲】
【請求項１】
中空管１の中の上部に乾電池４を入れ、中空管１の中の下部に乾電池４で動くモーター５を取り付け、浴槽の湯を汲み上げる為のスクリュー６を、モーター５に取り付け回転させ、湯を汲み上げ、中空管１を通り、横に張り出した中空管２に流れ込み、２箇所に設けられた噴出し口３から、湯が出る仕組みで、湯を汲み上げる動力を、乾電池４と，乾電池４で回るモーター５と、モーター５で回転するスクリュー６とする、ミニ打たせ湯。
【考案の詳細な説明】
【技術分野】
【０００１】  乾電池とモーターを使い、湯を汲み上げる為のスクリューを回し、お風呂の湯を汲み上げ、両肩に湯が掛かる仕組みの、ミニ打たせ湯。
【背景技術】
【０００２】  従来打たせ湯というと、公共施設の浴場かその他大浴場といった大規模な施設内にあるものだが、ミニ打たせ湯は低価格で簡単に、一般家庭のお風呂に設置できるものである。
【考案の開示】
【考案が解決しようとする課題】  本案は簡単手軽に楽しめる道具を開発しようとするものである。
【課題を解決するための手段】（イ）中空管１の中の上部に乾電池４を入れ
（ロ）中空管１の中の下部にモーター５にスクリュー６を付け
（ハ）乾電池４でモーター５を回しスクリュー６を回転させる
（ニ）その回転で、吸い込み口７から浴槽の湯を汲み上げ
（ホ）汲み上げた湯は、中空管１の中を通り横に張り出した、中空管２の中へ流れ込み、２箇所に噴き出し口３を設け、湯が噴出し口から出る仕組みである。
【考案の効果】  したがって簡単手軽低価格でちょっとした癒し効果で興味深い道具である。
【考案を実施するための最良の形態】  お風呂の湯を少し、少なめに沸かし、本案のミニ打たせ湯を，湯船の隅にセットして、湯船に入り肩が出るように漬かり、ミニ打たせ湯のスイッチを入れると、お湯の勢いはあまりないが、心地よいお湯が、肩にあたり癒し効果があると思う。
【産業上の利用の可能性】
【図面の簡単な説明】
【図１】本考案の正面図、構造図
【図２】本考案を使用した正面図
【図３】本考案を使用した側面図
【符号の説明】
１中空管
２中空管
３噴出し口
４乾電池
５モーター
６スクリュー
７吸い込み口
８取付金具
【図１】
0003105393.tif 000003
【図２】
0003105393.tif 000004
【図３】
0003105393.tif 000005
(57)【要約】    【課題】  低コストで且つ周囲環境に悪影響を及ぼすことなしに暖房することができる住宅用暖房装置を提供することである。    【解決手段】  住宅の床下空間に配置される土間コンクリート中に埋設された温水配管（１２）を備え、土間コンクリートの表面に遠赤外線塗料（１４）が塗布され、或いは、土間コンクリートの少なくとも表面部分に遠赤外線素子が混入されており、温水配管に温水を供給して土間コンクリートを加温することにより遠赤外線塗料又は遠赤外線素子から遠赤外線を放射させ、これにより住宅を暖房するように構成されていることを特徴とする。【選択図】  図１
0003105399.tif 000002
【実用新案登録請求の範囲】
【請求項１】
住宅用暖房装置であって、
住宅の床下空間に配置される土間コンクリート中に埋設された温水配管を備え、
前記土間コンクリートの表面に遠赤外線塗料が塗布され、或いは、前記土間コンクリートの少なくとも表面部分に遠赤外線素子が混入されており、
前記温水配管に温水を供給して土間コンクリートを加温することにより前記遠赤外線塗料又は前記遠赤外線素子から遠赤外線を放射させ、これにより住宅を暖房するように構成されていることを特徴とする装置。
【考案の詳細な説明】
【技術分野】
【０００１】
本考案は、住宅用暖房装置に関する。
【背景技術】
【０００２】
住宅用の暖房システムとしては、床暖房装置やセントラルヒーティングなどの種々の型式のシステムが知られている。
【考案の開示】
【考案が解決しようとする課題】
【０００３】
しかしながら、従来の住宅用暖房装置は、暖房費用がかかるうえ、燃焼式のシステムでは排気が生ずるため、周囲環境に悪影響を及ぼすおそれがあるという不都合がある。本発明は、このような状況に鑑みて案出されたものであって、低コストで且つ周囲環境に悪影響を及ぼすことなしに暖房することができる住宅用暖房装置を提供することを目的としている。
【課題を解決するための手段】
【０００４】
本願請求項１に記載の住宅用暖房装置は、住宅の床下空間に配置される土間コンクリート中に埋設された温水配管を備え、前記土間コンクリートの表面に遠赤外線塗料が塗布され、或いは、前記土間コンクリートの少なくとも表面部分に遠赤外線素子が混入されており、前記温水配管に温水を供給して土間コンクリートを加温することにより前記遠赤外線塗料又は前記遠赤外線素子から遠赤外線を放射させ、これにより住宅を暖房するように構成されていることを特徴とするものである。
【考案の効果】
【０００５】
本考案によれば、装置を作動させる際に比較的低温の温水を供給するのみでよいので、低コストの暖房が可能になる。また、遠赤外線による輻射熱を利用しているので、周囲環境に悪影響を及ぼすこともない。
【考案を実施するための最良の形態】
【０００６】
次に添付図面を参照して、本考案の好ましい実施の形態に係る住宅用暖房装置について詳細に説明する。図１は、本考案の好ましい実施の形態に係る住宅用暖房装置を示した概略図である。図１において全体として参照符号１０で示される本考案の好ましい実施の形態に係る住宅用暖房装置は、住宅の床下空間に配置される土間コンクリート中に埋設された温水配管１２を備えている。
【０００７】
温水配管１２は、図２に示されるように、土間コンクリートの全体に行き渡るように、蛇行形状に配列するのが望ましい。温水配管１２には、一方の端部１２ａから、比較的低温の温水が供給され、他方の端部１２ｂから排出されるようになっている。このようにして、温水配管１２に温水を供給することにより、土間コンクリートが加温されることとなる。なお、温水は、経済的効率性を考慮して、２５°Ｃ〜３５°Ｃ程度であるのが好ましく、３０°Ｃ程度であるのが最も好ましい。
【０００８】
本考案の住宅用暖房装置１０では、土間コンクリートの表面に、遠赤外線塗料１４が塗布されている。遠赤外線塗料１４としては、従来使用されているものを用いてよい。
【０００９】
或いは、土間コンクリートの表面に遠赤外線塗料１４を塗布する代わりに、土間コンクリート中（土間コンクリートの少なくとも表面部分）に、遠赤外線素子を混入してもよい。
【００１０】
なお、遠赤外線素子としては、ＳｉＯ2 、Ａｌ2 Ｏ3 、Ｆｅ2 Ｏ3 、ＴｉＯ2 、ＭｎＯ、ＣａＯ、ＭｇＯ等のセラミック系のもの、前記セラミック系のものに金属ゲルマニウム又は酸化ゲルマニウムを配合して成形焼結したもの、黒鉛を高温で処理したグラファイト系のもの等、公知のものを使用してよい。
【００１１】
次に、以上のように構成された住宅用暖房装置１０について説明する。温水配管１２に温水を供給すると、土間コンクリートは加温される。すると、遠赤外線塗料１４又は遠赤外線素子から遠赤外線が放射され、床下空間が暖められる。これにより、床下空間の上方に位置する住宅の各部屋が暖房されることとなる。
【００１２】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１３】
例えば、土間コンクリートと地面との間に、断熱材（例えば、スタイロフォーム）１６を配置して、床下空間の熱が各部屋で効率的に活用できるようにしてもよい。
【図面の簡単な説明】
【００１４】
【図１】本考案の好ましい実施の形態に係る住宅用暖房装置を概略的に示した図である。
【図２】図１の線２−２に沿って見た図であって、図１の装置に設けられる温水配管を示した平面図である。
【符号の説明】
【００１５】
１０  住宅用暖房装置
１２  温水配管
１４  遠赤外線塗料
１６  断熱材
【図１】
0003105399.tif 000003
【図２】
0003105399.tif 000004
(57)【要約】【課題】本考案は、広告媒体となっているうちわや、その他のうちわの平面部に、レフ板（プロカメラマンが使用する光を反射させるための板のこと。白色の白レフや銀色の銀レフなどがある）の効果を持たせ、レフ板としての効果はもちろんのこと、広告媒体としても効果の高いうちわを提供すること。【解決手段】広告媒体となっているうちわや、その他のうちわの平面部の片面もしくは両面に、レフ板の効果を持つ反射率の高い素材を使うことで、撮影のときにレフ板として使え、広告媒体としても役立つ。【選択図】  図１
0003105318.tif 000002
【実用新案登録請求の範囲】
【請求項１】
うちわの片面もしくは両面を、レフ板（プロカメラマンが使用する光を反射させるための板のこと。白色の白レフや銀色の銀レフなどがある）となるように反射率の高い素材（例えば、金色、銀色、白色のもの、アルミ箔など金属系のものなど）にすることにより、うちわとしての利用と携帯用レフ板としての利用が行えるところを特徴としたうちわ。
【考案の詳細な説明】
【技術分野】
【０００１】本考案は、うちわの平面部分を、反射率の高い素材にして、レフ板（プロカメラマンが使用する光を反射させるための板のこと。白色の白レフや銀色の銀レフなどがある）として利用できるようにしたうちわに関するものである。
【背景技術】
【０００２】携帯電話のカメラや、デジタルカメラが普及し、一方、広告媒体としてうちわが一般的に配られている。又、レフ板は簡単に使えて効果がすぐ目に見えるカメラアクセサリーなのだが、一般の人々には少々馴染みが薄い。
【考案の開示】
【考案が解決しようとする課題】
【０００３】本考案の課題は、広告媒体となっているうちわや、その他のうちわの平面部に、レフ板の効果を持たせることによって、うちわの需要を増やし、また広告媒体としては、その広告効果をより高めることである。
【課題を解決するための手段】
【０００４】本考案は、うちわの平面部分に、反射率の高い素材（例えば、金色、銀色、白色のもの、アルミ箔など金属系のものなど）を用いて、レフ板としての機能を持たせることによって、人々のこのうちわへの利用意欲を高め、広告媒体としての効果も上げる。
【考案の効果】
【０００５】人々が使ううちわや広告媒体としてのうちわには、涼を求める人のためや飾りとしての利用法しか主になされていなかったが、レフ板の機能を追加することによって、昨今の携帯電話のカメラや、デジタルカメラなどの普及に伴い、よりきれいに写真を撮ることができるため、人々の需要が高まり、今までのＣＭうちわ（広告媒体）と、差が付き、話題性と、今まで以上の普及で広告力をアップさせることができる。
【図面の簡単な説明】
【０００６】
【図１】本考案の一例を表す、両面反射素材を用いたうちわの表面図である。
【図２】本考案の一例を表す、片面反射素材を用いたうちわの反射素材面、表面図である。
【図３】本考案の一例を表す、片面反射素材を用いたうちわの一般素材面、表面図である。
【符号の説明】
【０００７】  １  うちわの骨組み部分
２  うちわの柄の部分
３  レフ素材（反射率の高い素材）を用いたうちわの平面部分（レフ板面）
４  レフ素材を用いた広告、模様、情報等
５  指掛かり部
６  一般的な素材のうちわ平面部分
７  従来通りの広告、模様、情報等
【図１】
0003105318.tif 000003
【図２】
0003105318.tif 000004
【図３】
0003105318.tif 000005
(57)【要約】      （修正有）【課題】混合気体中の水滴を１００％分離でき、気流抵抗を可及的に小さい圧力損失で、気流中の水滴を分離、回収することが出来ます。【解決手段】混合気体を直進させる直進部分の下流に屈曲部分を２箇所波形に構成されたことにより、混合気体を直進させて屈曲部壁面に濡れ面現象を発生させて混合気体中の水滴を分離させます。流路壁面には水膜が発生して、水膜は気流と一緒に下流の屈曲部分まで流されて、気流と水膜は分離されるため、水膜は流路を押し流されることがなくなります。流路に水切りの突起部分や凹凸部分を設置する必要がなくなり、乱流の発生もなくなり、気流抵抗も少なくなります。流路の幅を混合気体の流入速度に応じて調整することにより、気流抵抗の増加を抑え、水滴は確実に壁面に衝突をして濡れ面現象を起こして、混合気体から１００％水滴を分離、回収することが出来ます。【選択図】図３
0003105317.tif 000002
【実用新案登録請求の範囲】
【請求項１】
水滴を含む混合気体が流れる流路中に設けられ、直進しようとする混合気体の方向を屈曲させる屈曲部を波形に２箇所以上設けることにより、直進する混合気体を屈曲部の壁面に衝突させて、ぬれ面現象を発生させて混合気体中の水滴を分離します、分離した水滴は壁面に水膜を発生させて、気流と一緒に押し流されて、下流の屈曲部分で気流と水膜は切り離されるために、水膜は押し流されることがなくなり、流路に水切りのための突起部分や凹凸を必要としない高速波型エリミネーター
【考案の詳細な説明】
【考案の詳細な説明】
【考案が解決しようとする課題】
【０００１】  現在使われているエリミネーターの水滴分離の方法は、流路の屈曲部分に突起部分や凹凸部分を設け、流路を通過する混合気体を突起部分や凹凸部分に衝突させることにより、乱流を発生させて混合気体中の水滴を、流路壁面に衝突させて、濡れ面現象を発生させて分離、回収しています。そのために水滴分離能力を向上させるため、屈折部分を多くして突起部分や凹凸部分を増やすことにより、乱流発生部分を多くするとともに、流路内通過速度を上げることにより乱流を大きくして水滴分離能力を向上させています。そのために水滴分離能力の向上と気流抵抗の増加は比例関係にあり、流路内速度は制限されます。流路で乱流を発生させて壁面に水滴を衝突させる方法のため、完全に水滴を分離することが出来ません。
【課題を解決するための手段】
【０００２】  以上のように現在使われているエリミネーターは水滴分離能力からも気流抵抗の面からも問題点を持っています。これらの問題を解決するために、高速波型エリミネーターの水滴分離の方法は流路に直進しようとする混合気体の下流側に２箇所以上の屈曲部を設けることにより、混合気体を直進させて屈曲部壁面に濡れ面現象を発生させて混合気体中の水滴を分離させます。流路壁面には水膜が発生して、水膜は気流と一緒に下流の屈曲部分まで流されて、気流と水膜は分離されるため、水膜は流路を押し流されることがなくなります、流路に水切りの突起部分や凹凸部分を設置する必要がなくなり、乱流の発生もなくなり、気流抵抗も少なくなります。流路の幅を混合気体の流入速度に応じて調整することにより、気流抵抗の増加を抑え、水滴は確実に壁面に衝突をして濡れ面現象を起こして、混合気体から１００％水滴を分離、回収することが出来ます。
【考案の効果】
【０００３】  上記エリミネーターの問題を解決するために、直進しようとする混合気体の方向を屈曲させる屈曲部を２箇所以上波型に設けることにより、混合気体を屈曲部の壁面に衝突させて、ぬれ面現象を発生させて混合気体中の水滴を１００％分離でき、管路内に水切りの突起部分や凹凸部分がなくなるため、気流抵抗を可及的に小さい圧力損失で、気流中の水滴を分離、回収することが出来ます。
【図面の簡単な説明】
【図１】  流路に突起部分を設けた、エリミネーターを構成するブレードの従来のブレードの形状を示します。
【図２】  流路に凹凸部分を設けた、エリミネーターを構成する従来のブレードの形状を示します。
【図３】  流路を曲線で２箇所屈曲させた。本考案の高速波型ブレードを示します。
【図４】  流路を直線で２箇所屈曲させた。本考案の高速見型ブレードを示します。
【図１】
0003105317.tif 000003
【図２】
0003105317.tif 000004
【図３】
0003105317.tif 000005
【図４】
0003105317.tif 000006
(57)【要約】      （修正有）【課題】片側の手だけで手動式ポンプを使用して刷毛部に塗料を送り連続的に塗装が出来る様にした、手動式塗料補給塗装刷毛を提供する。【解決手段】プラスチック容器に塗料を入れ手動式ポンプと刷毛を一体型にし、プラスチック容器からチューブで手動ポンプに接続してポンプのレバーを数回引き、塗料がチューブの中を通るのを確認して刷毛に塗料を浸透させ塗装を行い、刷毛に塗料が薄くなったら再びポンプのレバーを引き、刷毛に塗料を補給して連続して塗ることが得られ、刷毛から塗料が垂れること無くかつ高所ではプラスチックの容器を腰のベルトに掛け、片側の手で体を支え事が出来安全に塗装が出来る。【選択図】図１
0003105368.tif 000002
【実用新案登録請求の範囲】
【請求項１】
プラスチックの容器１に塗料を入れ容器よりチューブ２手動ホンプ付き刷毛握り部３ポンプ４のレバー５を引き塗料を注入針６の先端部に出し刷毛部７に塗料を送り浸透させ塗装が連続的に行える特徴とする手動式塗料補給塗装刷毛
【請求項２】
請求項１に係る考案において刷毛部（７）は着脱できるようにし大・小が簡単に変えられる特徴とする手動式塗料補給塗装刷毛
【考案の詳細な説明】
【技術分野】
【０００１】
本考案は、塗料液が垂れない刷毛であり連続的に塗装が簡単にできる塗装刷毛に関するものである。
【背景技術】
【０００２】
従来の塗装は、塗料の入った容器を持ち刷毛に塗料浸透させ塗っていた  又、手動塗料送給式連続塗装刷毛は、特許文献１にある様にコーキング用ガウンに似たようなホルダーを使用して、カートリッジに塗料を入れ替えホルダーにカートリッジをセットするので大変面倒で時間もかかり装置も大きく床面を塗装する場合腰を落として塗装する時床にガウンが突き塗装がしにくい欠点があった。
【０００３】
又ホルダーに蓄圧スプリング使用しているので塗料の送る流量調整が難しいくコウキングと同じ握力が必要と思われ女性や子供達から難しいイメージがあると思われる。
【特許文献１】実用新案登録番号第３０２３６８７号
【考案の開示】
【考案が解決しようとする課題】
【０００４】
解決しようとする問題点はカートリッジに塗料を詰め替えする点や、又ホルダーに蓄圧スプリング使用しているので塗料の送る流量調整が難しい問題点である。
【課題を解決するための手段】
【０００５】
上記の目的を達成するため、本考案は、簡単な仕組みで塗料の入った容器１よりチューブ２刷毛握り部３手動ホンプ４のレバー５を引き注入針６より刷毛７の部分に塗料を補給出きる事により連続で塗装が出来る様にした。又補給回数調整すれば刷毛より塗料が垂れることが無いのが特徴である。
【考案の効果】
【０００６】
本考案の手動式塗料補給塗装刷毛は、塗装しているうち刷毛に塗料が薄くなったらホンプのレバーを刷毛に塗料を補給し、連続で塗装が出来塗料の垂れることも無い利点がある。
【考案を実施するための最良の形態】
【０００７】
簡単な構造仕組みになっているので、故障がなく刷毛とポンプが一体で使いやすく軽量で刷毛部が簡単に大きさ交換できる。
【実施例１】
【０００８】
プラスチックの容器１に、塗料を入れチューブ２より刷毛握り部３とポンプ４のレバー５を引き、塗料を注入針６より刷毛部７に塗料を浸透させ連続的に塗装ができる。
【産業上の利用可能性】
【０００９】
専門塗装業の方から一般の方でも簡単で塗料液が垂れることなく塗装時間が短縮できる。
【図面の簡単な説明】
【００１０】
【図１】構造図全体
【図２】プラスチック容器に刷毛を収納している状態    手動式塗料補給塗装刷毛全体図である。
【符号の説明】
【００１１】
１  プラスチック容器
２  塗料を送るチューブ
３  刷毛握り部
４  塗料を送るポンプ
５  ポンプレバー
６  塗料が出てくる注入針
７  刷毛部
【図１】
0003105368.tif 000003
【図２】
0003105368.tif 000004
(57)【要約】【課題】発明は、電源通電時、半田ごての通電状態を知らせることで、ケガ、火災などに対する安全性を高めるとともに、電気の切り忘れによる無駄な電力消費を抑えるためになされたものであって、半田ごて自体に電気が入っていることを示す表示灯を点灯する機能を提供することを目的とする。【解決手段】本発明の半田ごての通電表示灯は、半田ごてのグリップ部に使用者の見えやすい部分に取り付ける。電源からの電圧を認識して電源投入状態を表示灯の点灯で使用者に知らせる機能を特徴としたものである。【選択図】【図1】
0003105353.tif 000002
【実用新案登録請求の範囲】
【請求項１】
電源通電時、またはヒーター通電時に、表示灯が点灯する半田ごての表示機能。
【考案の詳細な説明】
【技術分野】
【０００１】
本考案は、安全性および節電に寄与するための表示灯付き半田ごてに関する。    
【背景技術】
【０００２】
使用者に、こて先の温度を表示する温度表示装置が付加されたタイプの半田ごてがある。しかしながら、温度表示装置を用いない、商用電源のみの半田ごてには、電源通電時に見ただけでは、通電状態が判断できないという問題があった。また、半田ごてが通電状態にあり危険なときに表示がされてないので安全面でも問題があった。
【特許文献１】登録実用新案公報
【考案の開示】
【考案が解決しようとする課題】
【０００３】
半田ごての通電状態が判らないと作業者以外の人が、半田ごてが通電中と知らずに触れて火傷をする。火傷までしなくても驚いて二次災害（ケガ、物品破損など）を起こす。
【０００４】
また、作業者以外の人が可燃物を近づけて火事になる可能性がある。
【０００５】
さらに、電気の切り忘れにより、火事になる可能性があるのと、
【０００６】
電気の切り忘れによる無駄な電気の消費を防ぐ。
【課題を解決するための手段】
【０００７】
そこで、半田ごて自体に電気が入っていることを示す表示灯を、こてのグリップ部分へ付けます。
【考案の効果】
【０００８】
半田ごてに電気が入っていないと思い込んでいる人が、半田ごてに触ろうとするとき、電源ユニットの表示灯確認や電源コードがコンセントへ入っていることを確認している訳ではないため、危険がある。半田ごてのこて部分にに、危険を知らせる表示灯が付いていることが最良である。
【考案を実施するための最良の形態】
【０００９】
図１は、本考案の半田ごての通電表示灯を示す平面図である。
【００１０】
グリップ部１に使用者が握らない箇所かつ見やすい箇所に表示灯３が設けられている。表示灯３は、プラグをコンセントに差し込むことによって電源投入され、電源通電時に点灯表示する。
【００１１】
使用者は、表示灯３の点灯表示を確認したのち、半田付け作業を開始する。
【００１２】
半田付け作業の中断もしくは終了時に、プラグからコンセントを抜き、非通電にする。表示灯３の消灯を確認することによって、電源の状態が確認することができる。すなわち、電源切り忘れを防止できる。
【産業上の利用可能性】
【００１３】
本発明は、電子部品をプリント基板に半田付けする用途などに用いることができる半田ごてに関するもので、電気が入っていることを知らせる通電表示灯を付けることによって危険の回避と、無駄な電力消費を抑えることができる。
【図面の簡単な説明】
【００１４】
【図１】本考案の半田ごての通電表示灯を示す平面図である。
【符号の説明】
【００１５】
１.グリップ部
２.こて部
３.表示灯
【図１】
0003105353.tif 000003
【手続補正書】
【提出日】平成16年7月23日(2004.7.23)
【手続補正１】
【補正対象書類名】実用新案登録請求の範囲
【補正対象項目名】全文
【補正方法】変更
【補正の内容】
【実用新案登録請求の範囲】
【請求項１】
電源プラグからコンセントに接続して通電すると、半田ごてのグリップ部に設けられた表示灯が、電源部に接続されて点灯することを特徴とする半田ごての通電表示灯。
(57)【要約】      （修正有）【課題】持ち運びに便利なハンドルが付いている形態になっており、変型させることによって卓上写真立てとなる。【解決手段】２枚の板状の厚紙等からなり、組み立て前は持ち運べる形状をなし、組み立て後は写真立てとして係るもので、左辺５にシート片６、第一シート片１、窓枠シート片２、第二シート片３、そしてハンドルシート片４で形成され、窓枠２はテープなどの接着により３に貼られている状態をなしもので構成されている。【選択図】図１
0003105357.tif 000002
【実用新案登録請求の範囲】
【請求項１】
図２のように持ち運び時には４を持ち手として、ａの舌片とｃの切れ目を組み合わせ１つの構造物としており、最終的な写真立てとしての組み立てはｃとａを組み合わせた部分を開き、４のハンドルシート片をｆのミシン線に沿って切り取り取り、折込ｇ，ｈ，ｉを裏側に折りこんだ後にａをｄ又はｅに差込んだ特徴の持ち運び組み立て写真立て。
【考案の詳細な説明】
【考案の詳細な説明】
従来、折り畳むタイプの写真立てが構造に違いはあるがいくつか存在し、目的が郵送用のシートとするものも存在する。それらの物よりさらに持ち運びを便利にした物が本考案である。手渡しをした時にも受け取る側が持ちやすくハンドル穴を設け、さらに板の総面積が少ないのでかさばらないというメリットを持ち合わせている。又、写真立てを設置する場所の幅を考慮して、広いときはｅ，狭いときはｄに差込み調整することができる。
【図面の簡単な説明】  図面は本案持ち運び組み立て写真立ての構造を示し、第一図は組み立て前の斜面図、第二図は表の展開図、第三図は展開した状態の裏面図、第四図は組み立て始める状態を示した斜面図、第五図は組み立て完了直前の斜面図、第六図は組み立て完了した写真立ての断面図。
【符号の説明】
１−第一シート片、２−窓枠シート片、３−第２シート片、４−ハンドルシート片、５−第三シート片、６−第四シート片
ａ−舌片、ｂ−ハンドル穴、ｃ−第一切目，ｄ−第二切目、ｅ−第三切目、ｆ−ハンドル切り離し用ミシン目、ｇ−第一折り目、ｈ−第二折り目、ｉ−第三折り目  ｊ−窓枠シート片の展開面
【図１】
0003105357.tif 000003
【図２】
0003105357.tif 000004
【図３】
0003105357.tif 000005
【図４】
0003105357.tif 000006
【図５】
0003105357.tif 000007
【図６】
0003105357.tif 000008
【手続補正書】
【提出日】平成16年7月14日(2004.7.14)
【手続補正２】
【補正対象書類名】明細書
【補正対象項目名】全文
【補正方法】変更
【補正の内容】
【考案の詳細な説明】
【考案の詳細な説明】
従来、折り畳むタイプの写真立てが構造に違いはあるがいくつか存在し、目的が郵送用のシートとするものも存在する。それらの物よりさらに持ち運びを便利にした物が本考案である。手渡しをした時にも受け取る側が持ちやすくハンドル穴を設け、さらに板の総面積が少ないのでかさばらないというメリットを持ち合わせている。又、写真立てを設置する場所の幅を考慮して、広いときはｅ，狭いときはｄに差込み調整することができる。
【図面の簡単な説明】
【図１】    立て前の斜面図
【図２】    表の展開図
【図３】    展開した状態の裏面図
【図４】    組み立て始める状態を示した斜面図
【図５】    組み立て完了直前の斜面図
【図６】    組み立て完了した写真立ての断面図
【符号の説明】
１−第一シート片、２−窓枠シート片、３−第２シート片、４−ハンドルシート片、
５−第三シート片、６−第四シート片
ａ−舌片、ｂ−ハンドル穴、ｃ−第一切目，ｄ−第二切目、ｅ−第三切目、
ｆ−ハンドル切り離し用ミシン目、ｇ−第一折り目、ｈ−第二折り目、
ｉ−第三折り目  ｊ−窓枠シート片の展開面
(57)【要約】【課題】  従来は白熱灯光源の前面に色ガラス回転板を回転させ色照明したり調光装置の大型化や熱処理や混合色のバラツキや色の劣化変色に対する問題の課題がある。【解決手段】  本考案には光源の発熱、消費電力も少なく長時命で色の変色のないＬＥＤ発光ダイオードの赤黄青３原色を使用し、また電子回路により色光や調光タイミングなどを微調に調整できるため微妙な色彩をかもし出す事が可能となる、ゆつくりとしたリズム変化の調光色灯を見つめる事によつてシーダー波の周波によりベーター波をアルファー波に復元させ脳のアルファ波の増出を助け禅の瞑想環境をもたらし精神ストレスを低減リラックスして心を癒す効果がある。【選択図】  図１
0003105352.tif 000002
【実用新案登録請求の範囲】
【請求項１】
赤黄青の３原色ＬＥＤを自動調光してそれぞれのタイミングによるカラーの動的多色発光をもたらす瞑想灯。
【考案の詳細な説明】
【技術分野】
【０００１】  本考案は３原色ＬＥＤの色彩光を自動変色する照明によつて瞑想するための瞑想灯に関する。
【背景技術】
【０００２】  従来は白熱灯光源の前面に複数の色ガラス回転板を回転させ色彩照明していた。
【考案の開示】
【考案が解決しようとする課題】
【０００３】  従来は白熱電球光源を利用しているため光り調光の大型化による発熱処理や色の劣化変色に問題があった。
【課題を解決するための手段】
【０００４】  本考案の光源には発熱が少なくかつ時命が長く色ガラス回転板の変わりに赤黄青３原色ＬＥＤを使用しＬＥＤの自動発光明暗調光を各々に調光タイミングをずらした赤黄青ＬＥＤを組合せて多色発光照明とする。
【考案の効果】
【０００５】  本考案は光源に３原色ＬＥＤを使用していますので消費電力が少なく発熱も小さいまた回転機械構造がなく電子回路により色光や調光タイミングなどを微調に調整できるため微妙な色彩をかもし出す事が出来ゆっくりしたリズム変化の調光色灯を見つめる事で色の変化による色彩心理により視覚神経に刺激を与えより脳のアルファ波の増加をたすけストレス社会の精神ストレスを低減癒しリラックスする事ができる効果がある。
【考案を実施するための最良の形態】
【０００６】  考案製品は薄暗い静かな部屋で使用する事で瞑想の禅の環境になりより一層リラックスしストレスを低減し精神を安定します。
【実施例】
【０００７】  添付図面に従って実施例を説明する。図１、３色ＬＥＤ瞑想灯の斜視図は５、筐体ケースと２、乳白球形すりガラスからなり１、プラグ付ＡＣアダプタ電源のプラグを１００Ｖ電源コンセントに差込むと２、乳白球形すりガラス内部の２ａ、の赤黄青３原色の発光ＬＥＤの個々にタイミングのずれた三角波信号の明暗光が変化しながら混ざり微妙な色彩をかもしだす。
また外部ＣＤ装置の出力を接続することで内臓増幅器を通り４、スピーカーより癒しの音楽を聴く事や、変化する色彩光を３、スイッチを入れることで現状の照明色で止めることが出来る。【０００８】  つぎにＬＥＤ制御動作および製品断面構造の説明として図２の１、プラグ付ＡＣアダプタ電源のプラグを１００Ｖ電源コンセントに差し込むとＤＣ９Ｖ電圧が６、低電圧電源部を通りＤＣ５Ｖ出力電圧が各部に供給される、
７．矩形波発振部で低速矩形波クロック信号が出力され８、Ｄフリップフロップ回路部でクロックタイミングの個々にずれた３信号を出力し９、信号三角波形部でタイミングの個々にずれた三角波形にし１０、信号増幅部でＬＥＤを点灯する電力に増幅し１１、１２、１３、の各ＬＥＤへ供給し点灯する。【０００９】  また３、スイッチを入れる事により現状の照明色で停止する事もできる、付属として外部のＣＤ装置の出力信号を接続し１４、音楽増幅器で４、スピーカーから癒し音楽を流しストレスの低減効果がある。
【図面の簡単な説明】
【００１０】
【図１】      ３色発光ＬＥＤ瞑想灯の斜視図である。
【図２】      ＬＥＤ制御器ダイヤグラム図である。
【図３】      ３色発光ＬＥＤ瞑想灯の断面構造図である。
【符号の説明】
【００１１】    １  プラグ付ＡＣアダプタ電源。
２  乳白球形すりガラス。
２ａ  ３色発光ＬＥＤ基板部。
３  動作ストップスイッチ。
４  スピーカー。
５  筐体ケース。
６  低電圧電源部。
７  矩形波発振部。
８  Ｄフリップフロップ回路部。
９  信号三角波形部。
１０  信号増幅部。
１１  赤色発光ＬＥＤ。
１２  青色発光ＬＥＤ．
１３  黄色発光ＬＥＤ．
１４  音楽増幅器。
１５  ＬＥＤ総合制御器。
【図１】
0003105352.tif 000003
【図２】
0003105352.tif 000004
【図３】
0003105352.tif 000005
【手続補正書】
【提出日】平成16年6月29日(2004.6.29)
【手続補正１】
【補正対象書類名】実用新案登録請求の範囲
【補正対象項目名】全文
【補正方法】変更
【補正の内容】
【実用新案登録請求の範囲】
【請求項１】
三角波形出力を有する制御基盤と赤緑青の３原色ＬＥＤ基板との組み合わせによる多色発光照明装置。
(57)【要約】【課題】  コンクリートブロックの設置に軽量、安全、簡単で傾斜を保つ治具を提供する。【解決手段】  シャックル６及びワイヤーを介し吊り下げ得るようにしたアーム１ａの下端にアーム１ｂを配置したアーム１と、水平ピン２を介し回動可能なるアーム３と連結されており、アーム３の端部にはコンクリートブロック穴に入り入り込むアーム３ａを２ケ以上備える吊り治具。【選択図】  図１
0003105356.tif 000002
【実用新案登録請求の範囲】
【請求項１】
コンクリートなどのブロックを吊るための吊り材であって、アーム１ａを吊り上げると、アーム１ｂと水平ピン２を介した、２ケ以上のアーム３ａが連動し、コンクリートブロックを挟み込むことを特徴とする吊り具。
【請求項２】
アーム１ａの穴は、コンクリートブロックを水平に置いたとき、その重心位置の垂線上や垂線からずれて幾つも開いている、これにより任意の穴を吊り上げた時水平或いは、任意の傾きを持って持ち上げることが出来る。
【考案の詳細な説明】
【考案の詳細な説明】
【技術分野】
【０００１】  この考案は、コンクリートブロック等を安全に吊ることが出来、さらに傾斜地に合わせた角度保持が出来る吊り具に関するものである。
【背景技術】
【０００２】  法面にコンクリートブロック等を設置する場合Ｌ字型の単純な吊り具で水平に吊る物では、移動途中で品物を落下させる危険を含んでおり、傾斜に合わせる場合には人力で引っ張るなどの危険作業が伴う、またワイヤーを通したり、シャックルでワイヤーを固定する方法では、荷を降ろした後の取り外しに時間を要した。
【本考案が解決しようとする課題】
【０００３】  吊っている状態での品物の落下防止と、傾斜角度に合わせた吊り方が出来ることで、安全で指定位置への設置を迅速に行うこと。
【課題を解決しようとするための手段】
【０００４】  アーム１ａを持ち上げると、アーム１ｂと２ケ以上のアーム３ａがコンクリートブロックを挟み付ける構造で、コンクリートブロック自重により挟み付ける力が得られる。
【０００５】  アーム１ａの吊り穴位置により、コンクリートブロックを水平或いは、任意の傾きで持ち上げることが出来る。
【０００６】  吊り具の挿入面と上面以外が邪魔されない構造のため、前に設置してあるコンクリートブロックの隣などに簡単に設置できる。
【考案の効果】
【０００７】  本考案の吊り具によれば、吊り具をコンクリートブロックに差込み、吊り上げることで吊り具がコンクリートブロックを挟み込む構造であり、吊り荷の自重で締め込まれている、さらに設置場所に吊り荷を置けば、簡単に吊り具を外すことができる。
【０００８】  吊り荷を傾斜した状態で持つことが出来るため、傾斜地のセットにおいては所定の位置にセットが可能であり、傾斜地の傾斜に合わせられるようアーム１ａには、吊り穴がいくつも設けてある。
【図面の簡単な説明】
【０００９】
【図１】本考案品とコンクリートブロックの斜視図
【図２】本考案品とコンクリートブロックの側面図
【図３】本考案品とコンクリートブロックがセットされた状態の側面図
【図４】吊り部を持ち上げ、押さえ金具がコンクリートブロックに付いた側面図
【図５】本考案品でコンクリートブロックを持ち上げた時の側面図
【図６】吊り部１ａの詳細図
【符号の説明】
【００１０】１    アーム１
１ａ  アーム１の吊り部
１ｂ  アーム１の押え金具
２    水平ピン（回動手段）
３    アーム３
３ａ  アーム３の突起部
４    コンクリートブロック（吊り荷）
５    シャックル
６    ワイヤー
【図１】
0003105356.tif 000003
【図２】
0003105356.tif 000004
【図３】
0003105356.tif 000005
【図４】
0003105356.tif 000006
【図５】
0003105356.tif 000007
【図６】
0003105356.tif 000008
【手続補正書】
【提出日】平成16年7月1日(2004.7.1)
【手続補正１】
【補正対象書類名】実用新案登録請求の範囲
【補正対象項目名】請求項２
【補正方法】変更
【補正の内容】
【請求項２】
アーム１ａの穴は、コンクリートブロックを水平に置いたとき、その重心位置の垂線上や垂線からずれて幾つも開いている、これにより任意の穴を吊り上げた時水平或いは、任意の傾きを持って持ち上げることが出来を特徴とする請求項１記載の吊り具。
(57)【要約】【目的】  設置移動型のゴール枠はグランドにそのままの形で置かれ、自重でその安定を保持しているので、強風によって倒れ、付近にいた児童・生徒が負傷する例や、よじ登ったりぶら下がったりして遊んでいるうちに、倒れて負傷する事故が起きている事故事例に鑑み、倒れを防止するための固定具を提供しようとするものである。【構成】  頂部に孔が貫設された突起を備え、下方先端部は槍状を呈する二本を１対とする杭の前記突起に、金具を用いて着脱自在に且つ、連結具を用いて間隔長を調節自在に、固定金具Ａを設けたことを特徴とする球技用ゴール枠固定具。【選択図】  図２
0003105388.tif 000002
【実用新案登録請求の範囲】
【請求項１】
頂部に孔９が貫設された突起８を備え、下方先端部７は槍状を呈する二本を１対とする杭の前記突起８に、金具１２を用いて着脱自在に、連結具１１を用いて間隔長を調節自在に、固定具Ａを設けたことを特徴とする球技用ゴール枠固定具。
【考案の詳細な説明】
【考案の詳細な説明】
【技術分野】
【０００１】  本考案は屋外で行われる球技、例えばサッツカーなどの球技用ゴール枠を固定するための固定具に関するものである。
【背景技術】
【０００２】  サッカーなどの球技用ゴール枠は、競技場などで使用されている設置固定型と、学校のグランドなどで使用される移動設置型とに大別される。移動設置型の最も一般的なものは図１に示したように、枠体にネットを取付けグランドの所望位置に運搬して使用し、場合によっては、使用後グランドの角に運搬して片付けて置く使われ方をされるのがほとんどである。
したがって、これらのゴール枠はグランドにそのままの形で置かれ、自重でその安定を保持している。もって、強風によってゴール枠が倒れ、付近にいた児童・生徒が負傷する例や、ゴール枠によじ登ったりぶら下がったりして遊んでいるうちに、倒れて負傷する事故が起きている。
【考案が解決しようとする課題】
【０００３】  本考案が解決しようとする課題は、従来品に係る事故事例に鑑み、ゴール枠の倒れを防止するための固定具を提供しようとするものである。
つまり、競技規則に触れること及び競技性を損なうこと無く固定でき、且つ、さしたる煩わしさが無く簡便に固定を解除できるようにするものである。
【課題を解決するための手段】
【０００４】  頂部に孔が貫設された突起を備え、下方先端部は槍状を呈する杭を対向させ、該杭の頂部に着脱自在で、且つ、間隔長が調節自在な固定具を設けて課題を解決するための手段としている。
【考案の実施形態】
【０００５】  以下に本考案実施の形態について図面を参照して説明する。図１は本考案の固定具が用いられる移動設置型のゴール枠１を示すもので、対向する支柱２、上部横バー３、台枠を形成する土台バー４，５及び背面柱６とから形成され、これらにネットを取付けて構成されている。
【０００６】  図２は本考案を構成する固定具Ａの主要な二つの部材を示し、第一の部材は二本を１対とする杭１０で、この杭の頂部には、孔９が貫設された突起８を備え、下方先端部７は槍状を呈している。
【０００７】  前記突起８に、例えば鎖等の連結具１１を用いて間隔長を調節自在に、且つ例えばカラビナ等の金具１２を用いて着脱自在に設けている。
【考案の効果】
【０００８】  本考案は以上のように、二本で１対の杭をゴール枠の台枠を形成する土台バー４，５を跨いで土中に刺し込み通常４箇所を固定するものであるから、ゴール枠が設置されるグランドの状態やゴール枠の大きさに合わせ、適する間隔で、且つ、連結具の長さを適する状態に調節して固定することができる。
【０００９】  また、該固定具Ａは、例えばカラビナ等の金具を用いて着脱自在に突起の孔に取付けられているので、ゴール枠の移動の時もさしたる煩わしさが無く簡便に固定を解除できる。
【００１０】  したがって、この固定具を使えばゴール枠が風で倒れるなどの事故を防止できることや、設置が難なくでき、その上、競技者に対する危険性も無く、しかもさしたる手間も必要としないで撤収作業ができる効果は大きい。
【図面の簡単な説明】
【図１】最もよく知られる移動設置型の球技用ゴール枠の説明図である。
【図２】本考案球技用ゴール枠固定具の構成部材説明図である。
【符号の説明】
７下方先端部      ８突起      ９孔      １０杭      １１連結具      １２金具
【図１】
0003105388.tif 000003
【図２】
0003105388.tif 000004
(57)【要約】【課題】ボール打点時のヘッドの歪みを極力抑え、反発力と方向性の向上を計る。【解決手段】チッ素ガスを充填した円すいを埋め込んだ二重構造のヘッドにすることにより歪みを極力抑える。【選択図】          図１
0003105387.tif 000002
【実用新案登録請求の範囲】
【請求項１】
ヘッド部分にチツ素ガスを充填した円すいを埋め込んだゴルフ用ドライバー。
【考案の詳細な説明】
【考案の詳細な説明】
【技術分野】
【０００１】  ゴルフ用ドライバーヘッド部分の一部に密度の高いチッ素ガスを充填した円すいを埋め込んだ二重構造にすることにより、反発力のロスを軽減させ、又ヘッド全体の歪みを軽減させ、飛距離と方向性を向上させる技術分野。
【背景技術】
【０００２】  従来は、ヘッドの中の気体が空気で有るために、打点時の振動が大きく反発力のロスがかなり生じ、又打点時の衝撃による歪みがヘッド全体に生じ、飛距離と方向性が悪くなっていた。
【考案が解決しようとする課題】
【０００３】  従来の技術で述べたように、ボールの打点時にヘッドの中が空気であるため、ヘッド内部に仕切りを設けても衝撃がヘッド全体伝わりやすく反発力のロスを招き、方向性を悪くしていた。従ってこれらの不具合を解決することが必要であった。
【課題を解決するための手段】
【０００４】  上記の課題を解決するために、本考案においてヘッド部分の一部にチッ素ガスを充填した円すいを埋め込み、打点時の衝撃による振動を極力抑え、反発力のロスを軽減し、振動をヘッド全体に伝わりにくくし、方向性の向上を図り、問題を解決する。
【考案実施の形態】
【０００５】  考案の実施の形態について、図面により説明する。
図１は、ゴルフ用ドライバーヘッド部分にチッ素ガスを充填した円すいをどのようにして埋め込むかを示した図である。
図２は、打点時の衝撃が埋め込んだ円すいの頂点に集中することを示した図である。
【考案の効果】
【０００６】  本考案は、請求項１に記載したヘッド部分にチツ素ガスを充填した円すいを埋め込んだゴルフ用ドライバーに関するもので、従来のゴルフ用ドライバーヘッドの打点時の衝撃による振動がヘッド全体に伝わりにくくなることにより、反発力のロスを抑え、方向性を向上させる効果が得られる。
【図面の簡単な説明】
【図１】  ドライバーのヘッド部分のどこに円すいを埋め込むかを示したものである。
【図２】  打点時の衝撃をどのようにして軽減するかを示したものである。
【図１】
0003105387.tif 000003
【図２】
0003105387.tif 000004
(57)【要約】      （修正有）【課題】コピー経費及びコピー時間の削減。【解決手段】Ａ４版サイズのコピー対象物２枚をコピーする場合において、コピー機の用紙設定をＡ４版サイズで行なえば、２枚であるが、コピー対象となるＡ４版サイズの対象物を横に並べ、コピー機の用紙設定をＡ３版サイズで行なえば、Ａ３版サイズのコピー用紙上に、対象となったＡ４版サイズ２枚がＡ３版サイズ一枚としてコピーされます。後は、事前に設けられたＡ３版コピー用紙の中心部に設けられた切込に従い、２つに切り分けるだけである。【選択図】図１
0003105386.tif 000002
【実用新案登録請求の範囲】
【請求項１】
Ａ３版サイズのコピー用紙の中心部に予め切込が設けられていることにより、誰でも簡単に正確な２枚のＡ４版サイズのコピー用紙として使用できる、コピー経費削減を最優先させたコストカット紙。
【考案の詳細な説明】
【技術分野】
【０００１】  本考案は、コピーをとる場合に発生する経費と作業時間を削減させることを目的に、Ａ３版コピー用紙の中心部に切込を設け、コピー後において手軽に切り分けることが出来る、経費削減を最優先させた専用コピー用紙である。
【背景技術】
【０００２】  従来、コピーをとる場合の経費は、用紙サイズに関係なく、通常一枚１０円の経費が必要とされます。
従って、コピー枚数に比例し経費負担も拡大していきます。この経費を削減するには、コピーを行なう枚数に制限をかける程度の努力しかありませんでした。一言で、言えばコピー経費を削減する画期的な方法はありませんでした。本考案は、コピー経費を削減させる事を目的に開発しました。
【考案の開示】
【考案が解決しようとする課題】
【０００３】  従来、コピーをとる場合の経費は、用紙サイズに関係なく、約一枚１０円の経費が必要とされます。
そこで、コピーを行なう対象物、Ａ４版サイズ２枚を横に並べ、コピー機の用紙選択をＡ３版サイズで行います。その結果、Ａ３版サイズのコピー用紙上にＡ４版サイズのコピー対象物２枚が一枚にコピーされます。つまりＡ４版サイズでコピーすれば２枚であるが、Ａ３版サイズの用紙設定でコピーすれば、一枚で済みます。時間及びコストは、単純に半減することが可能になりますが、Ａ３版サイズ上にコピーされた２枚のＡ４版サイズのコピー対象物を如何に正確に切り分けるかが、最大の課題となりました。寸分の誤差も無く正確に切り分けることは、不可能に近く、非常に技術と時間を要するものでありました。
【課題を解決するための手段】
【０００４】  Ａ３版専用コピー用紙として予めコピー用紙の中心部に切込が設けてあれば、全てが解消します。
【考案の効果】
【０００５】予めコピー用紙に切込が設けられていることにより、特別な道具を用いることもなく、コピー経費の削減及びコピー時間を削減するさせることが可能です。最大の特徴としては、誰もが簡単に経費削減が出来ることがあげられます。また本考案による専用紙は、コピー機の新旧、機種、製造メーカー等に影響されることなく、Ａ３版サイズのコピー機であれば全てに適応可能です。
【考案を実施するための最良の形態】
【０００６】  経費削減を最優先させた専用コピー用紙として認知して頂き、何処でも簡単に購入できることが理想と考えます。
【実施例】
【０００７】  Ａ４版サイズのコピー対象物、２枚を横に並べ、コピー機の用紙選択をＡ３版サイズで行ないます。
その結果、Ａ３版上にＡ４版が２枚が一枚にコピーされます。これを予め設けられた切込に従い切り分けると完成です。現在、コピー経費削減を目的とする専用紙としての市販は、全く行なわれていません。
【図面の簡単な説明】
【０００８】〔図１〕
コピー対象となるＡ４版用紙２枚を横に並べ用紙選択をＡ３版サイズで行ないます。その結果、Ａ３版上にＡ４版が２枚がＡ３版用紙上に一枚としてコピーされます。
コピー後、中心部に設けられた切込に従い切り分ければ、Ａ４版サイズの対象物が完成します。最大の特徴は、予めＡ３版コピー用紙の中心部に切込を設けてあることです。
【図１】
0003105386.tif 000003